(57)【要約】      （修正有）【課題】ユーザ機器（ＵＥ）アイドルモード測定及びレポートを通じた無線セルラーネットワークの改良カバレッジ推定のためのデバイス、システム、及び方法を提供する。【解決手段】ＵＥは、ＵＥのサービングセルの参照信号受信電力（ＲＳＲＰ）を測定する。ＵＥは、アイドルモードにあり、ＲＳＲＰが閾値を下回るかどうかを判断する信号測定モジュールを含む。ＵＥは、ＲＳＲＰが閾値を下回るとの判断に応じて隣接セルを検索し、検索が成功する場合、隣接セル上にキャンプするセル探索及び選択モジュールを含む。ＵＥは、さらに、隣接セルの検索が成功すると、隣接セルに関連付けられたログ情報を記録し、隣接セルの検索が失敗する場合、サービングセルに関連付けられたログ情報を記録するデータ記録モジュールを含む。【選択図】図１
2018085744.tif 000002
【特許請求の範囲】
【請求項１】
ユーザ機器（ＵＥ）がアイドルモードである間に前記ＵＥのサービングセルの参照信号受信電力（ＲＳＲＰ）を測定し、前記ＲＳＲＰが閾値を下回るかどうかを判断する信号測定モジュールと、
ＤＲＸ時間インターバルの終了での前記測定を実行するべく、前記信号測定モジュールをトリガする間欠受信（ＤＲＸ）タイマと、
前記ＲＳＲＰが前記閾値を下回る場合、隣接セルを検索し、前記検索が成功した場合、前記隣接セル上にキャンプする、セル探索及び選択モジュールであり、前記検索は、隣接ロングタームエボリューションセル（ＬＴＥセル）に対する検索であり、前記セル探索及び選択モジュールは、隣接ＬＴＥセルに対する前記検索が失敗した場合、隣接インター無線通信アクセス技術セル（ＩＲＡＴセル）をさらに検索する、前記セル探索及び選択モジュールと、
前記隣接ＬＴＥセルおよび前記隣接ＩＲＡＴセルの一方の検索が成功した場合、前記隣接ＬＴＥセルおよび前記隣接ＩＲＡＴセルの前記一方に関連付けられたログ情報を記録し、前記隣接ＬＴＥセルおよび前記隣接ＩＲＡＴセルの両方の検索が失敗した場合、前記サービングセルに関連付けられたログ情報を記録するデータ記録モジュールと、
前記データ記録モジュールから、ネットワークマネージャ（ＮＭ）又はエレメントマネージャ（ＥＭ）のキャパシティ及びカバレッジ最適化モジュール（ＣＣＯモジュール）に前記ログ情報をレポートする送信機と
を備えるＵＥ。
【請求項２】
前記ＵＥの位置を提供するロケーションモジュールであり、前記位置は前記ログ情報に含まれる、前記ロケーションモジュールと、タイムスタンプを提供する時間モジュールであり、前記タイムスタンプは前記ログ情報に含まれる、前記時間モジュールと、をさらに備える、請求項１に記載のＵＥ。
【請求項３】
前記ログ情報は、ＲＳＲＰ、参照信号受信品質（ＲＳＲＱ）及びセル識別を含む、請求項１または２に記載のＵＥ。
【請求項４】
前記ＩＲＡＴセルは、万国移動通信システム（ＵＭＴＳ）セル又は汎ヨーロッパデジタル移動通信システム（ＧＳＭ（登録商標））セルを含む、請求項１から３のいずれか一項に記載のＵＥ。
【請求項５】
前記送信機は、前記ログ情報を、前記ＮＭ又は前記ＥＭの前記ＣＣＯモジュールに、前記ＵＥが進化型ノードＢ（ｅＮＢ）に再接続することに応じて前記ｅＮＢを通じてレポートする、請求項１から４のいずれか一項に記載のＵＥ。
【請求項６】
ＤＲＸ時間インターバルの終了で、アイドルモードのユーザ機器（ＵＥ）のサービングセルの参照信号受信電力（ＲＳＲＰ）の測定をトリガする段階と、
前記ＵＥの前記サービングセルの前記ＲＳＲＰが閾値を下回るかどうかを判断する段階と、
前記ＲＳＲＰが前記閾値を下回ると判断される場合、隣接セルを検索する段階であって、前記隣接セルを検索する段階は、隣接ロングタームエボリューションセル（ＬＴＥセル）に対する検索を含み、前記隣接セルを検索する段階は、前記隣接ＬＴＥセルの検索が失敗した場合、さらに、隣接インター無線通信アクセス技術セル（ＩＲＡＴセル）を検索する段階を有する、検索する段階と、
前記隣接ＬＴＥセルおよび前記隣接ＩＲＡＴセルの一方の検索が成功した場合、前記隣接ＬＴＥセルおよび前記隣接ＩＲＡＴセルの前記一方に関連付けられたログ情報を記録する段階と、
前記隣接ＬＴＥセルおよび前記隣接ＩＲＡＴセルの両方の検索が失敗した場合、前記サービングセルに関連付けられたログ情報を記録する段階と、
前記隣接ＬＴＥセルおよび前記隣接ＩＲＡＴセルの一方の検索が成功した場合、前記隣接ＬＴＥセルおよび前記隣接ＩＲＡＴセルの前記一方上にキャンプする段階と、
ネットワークマネージャ（ＮＭ）又はエレメントマネージャ（ＥＭ）のキャパシティ及びカバレッジ最適化モジュール（ＣＣＯモジュール）に前記ログ情報を送信する段階と、
を備える方法。
【請求項７】
前記ログ情報は、ＲＳＲＰ、参照信号受信品質（ＲＳＲＱ）、セル識別、前記ＵＥの位置、及びタイムスタンプを含む、請求項６に記載の方法。
【請求項８】
前記ＩＲＡＴセルは、万国移動通信システム（ＵＭＴＳ）セル又は汎ヨーロッパデジタル移動通信システム（ＧＳＭ（登録商標））セルを含む、請求項７に記載の方法。
【請求項９】
前記ログ情報を前記送信する段階は、前記ＵＥが進化型ノードＢ（ｅＮＢ）に再接続すること応じて前記ｅＮＢを通じて実行される、請求項６から８のいずれか一項に記載の方法。
【請求項１０】
前記記録する段階の後、アイドルモードにとどまる段階と、次のトリガを待つ段階と、をさらに備える、請求項６から９のいずれか一項に記載の方法。
【請求項１１】
コンピュータに、
ＤＲＸ時間インターバルの終了で、アイドルモードのＵＥのサービングセルの参照信号受信電力（ＲＳＲＰ）の測定をトリガする手順と、
前記ＵＥの前記サービングセルの前記ＲＳＲＰが閾値を下回るかどうかを判断する手順と、
前記ＲＳＲＰが前記閾値を下回ると判断される場合、隣接セルを検索する手順であって、前記隣接セルを検索する手順は、隣接ロングタームエボリューションセル（ＬＴＥセル）を検索する手順を含み、前記隣接セルを検索する手順は、前記隣接ＬＴＥセルに対する検索が失敗した場合、隣接インター無線通信アクセス技術セル（ＩＲＡＴセル）を検索する手順をさらに含む、検索する手順と、
前記隣接ＬＴＥセルおよび前記隣接ＩＲＡＴセルの一方の検索が成功した場合、前記隣接ＬＴＥセルおよび前記隣接ＩＲＡＴセルの前記一方に関連付けられたログ情報を記録する手順と、
前記隣接ＬＴＥセルおよび前記隣接ＩＲＡＴセルの両方の検索が失敗した場合、前記サービングセルに関連付けられたログ情報を記録する手順と、
前記隣接ＬＴＥセルおよび前記隣接ＩＲＡＴセルの一方の検索が成功した場合、前記隣接ＬＴＥセルおよび前記隣接ＩＲＡＴセルの前記一方上にキャンプする手順と、
ネットワークマネージャ（ＮＭ）又はエレメントマネージャ（ＥＭ）のキャパシティ及びカバレッジ最適化モジュール（ＣＣＯモジュール）に前記ログ情報を送信する手順と、
を実行させるプログラム。
【請求項１２】
前記ログ情報は、ＲＳＲＰ、参照信号受信品質（ＲＳＲＱ）、セル識別、前記ＵＥの位置、及びタイムスタンプを含む、請求項１１に記載のプログラム。
【請求項１３】
前記ＩＲＡＴセルは、万国移動通信システム（ＵＭＴＳ）セル又は汎ヨーロッパデジタル移動通信システム（ＧＳＭ（登録商標））セルを含む、請求項１１または１２に記載のプログラム。
【請求項１４】
コンピュータに、
前記ログ情報を、前記ＮＭ又は前記ＥＭの前記ＣＣＯモジュールに、前記ＵＥが進化型ノードＢ（ｅＮＢ）に再接続することに応じて前記ｅＮＢを通じて送信する手順をさらに実行させる、請求項１１から１３のいずれか一項に記載のプログラム。
【請求項１５】
コンピュータに、
前記記録する手順の後、アイドルモードにとどまる手順と、次のトリガを待つ手順と、をさらに実行させる、請求項１１から１４のいずれか一項に記載のプログラム。
【請求項１６】
請求項１１から１５のいずれか一項に記載のプログラムを記録したコンピュータ可読記録媒体。
【発明の詳細な説明】
【技術分野】
【０００１】
本開示は、無線セルラーネットワークのカバレッジ推定、より詳細には、ユーザ機器（ＵＥ）アイドルモード測定及びレポートを通じての無線セルラーネットワークのカバレッジ推定に関する。
【背景技術】
【０００２】
スマートフォン、タブレット、及びクラウドコンピューティングの加速的採用は、グローバルなモバイルデータトラフィックの急成長をもたらしている。増加するキャパシティ及び機能を提供する３ＧＰＰロングタームエボリューション（ＬＴＥ）又はＬＴＥアドバンスト（ＬＴＥ−Ａ）無線ネットワークの採用は、継続的なプロセスである。ネットワークプロバイダ及びオペレータは、典型的に、ＬＴＥを、少なくとも最初に、トラフィック輻輳を軽減する試みにおいて比較的より密集した人口を有する複数のエリアにおいて展開する。
【０００３】
初期のＬＴＥ配置及びカバレッジは、従って、不連続性を有する変数又はカバレッジにおけるギャップであってよい。基本的なレガシー無線アクセスネットワーク、例えば、ネットワークサポート万国移動通信システム（ＵＭＴＳ）及び／又は汎ヨーロッパデジタル移動通信システム（ＧＳＭ（登録商標））は、複数のＬＴＥカバレッジホールが存在する複数の領域又は複数のエリアにおいて、より基本的カバレッジを提供してよい。ネットワークオペレータ及びプロバイダは、概して、増加するＬＴＥカバレッジ、例えば、追加的なＬＴＥ基地局又は進化型ノードＢ（ｅＮＢ）のロールアウトの設計及び実装に関連付けられた目的を計画するためにそれらのＬＴＥカバレッジエリアをマッピングすることを試みる。カバレッジマッピングのための幾つかの既存の方法は、信号測定結果を収集するために地理的領域を通じてテスト装置が装備された車両を駆動することを含む。しかし、この処理は、比較的、時間を消費し、非効率である。
【図面の簡単な説明】
【０００４】
特許請求の範囲に係る主題の複数の実施形態の複数の特徴及び複数の利点は、次の詳細な説明が進むにつれて、かつ、同様の複数の符号が同様の複数の部分を示す複数の図面を参照することによって明らかとなろう。
【図１】本開示による１つの例示的実施形態のトップレベルダイアグラムを示す。
【図２】本開示による例示的実施形態の複数の動作のフローチャートを示す。
【図３】本開示による１つの例示的実施形態のブロックダイヤグラムを示す。
【図４】本開示による別の例示的実施形態のブロックダイヤグラムを示す。
【図５】本開示による別の例示的実施形態のブロックダイヤグラムを示す。
【図６】本開示による別の例示的実施形態の動作のフローチャートを示す。  以下の詳細な説明は、例示的な複数の実施形態を参照して進むが、それらの多くの代替、変形及び変更が、当業者には明らかであろう。
【発明を実施するための形態】
【０００５】
概して、この開示は、ユーザ機器（ＵＥ）アイドルモード測定及びレポートを通じた複数の無線セルラーネットワークの改良カバレッジ推定のための複数のデバイス、複数のシステム、及び複数の方法を提供する。例えば車両内で移動しているかもしれないＵＥは、比較的弱い又は存在しないｅＮＢ信号受信の複数のエリアに関連付けられる複数のＬＴＥカバレッジホールを検出するよう構成される。ＵＥは、典型的に、それらに電力供給される時間の比較的大きな割合の間アイドルモードに留まってよいので、この技術は、カバレッジホール検出の増加する好機を提供する。潜在的に大きな数のＵＥは、複数の位置及び複数のタイムスタンプに加えて、それらのアイドルモード測定結果をネットワーク階層を通じてネットワークマネージャまでレポートしてよい。ただし、収集された複数の測定結果は、格納され、解析され、及び／又は相関付けられて、複数のＬＴＥカバレッジマッピングを向上した効率で生成してよい。
【０００６】
図１は、本開示による１つの例示的実施形態のトップレベルダイアグラム１００を示す。無線ネットワークは、多くのセル基地局、複数のノードＢ（ＮＢ）及び複数のｅＮＢ、並びにそれらの関連付けられた複数のセルカバレッジエリアを含んで示される。セル１のＮＢ１０４はＵＭＴＳ又はＧＳＭ（登録商標）カバレッジエリア１０２を提供し、セル２のＮＢはＵＭＴＳ又はＧＳＭ（登録商標）カバレッジエリア１０６を提供する。ＵＭＴＳセルは、ユニバーサル地上無線アクセスネットワーク（ＵＴＲＡＮ）の一部であってよい。ＧＳＭ（登録商標）セルは、ＧＳＭ（登録商標）進化型高速データ伝送（ＥＤＧＥ）無線アクセスネットワーク（ＧＥＲＡＮ）の一部であってよい。より古く、より確立された技術を表すＵＭＴＳ及び／又はＧＳＭ（登録商標）セルは、比較的大きな基本的なカバレッジエリアを提供してよい。複数のＬＴＥのｅＮＢ１１２、１１４及びそれらの関連付けられた複数のＬＴＥカバレッジセル１１０、１１４は、このＵＭＴＳ／ＧＳＭ（登録商標）カバレッジエリアにオーバーレイされてよい。複数のカバレッジホール又は複数のギャップ１１８は、複数のＬＴＥセルの間に存在してよい。
【０００７】
ＵＥ１２０は、無線ネットワーク内で又はそれを通って移動してよく、それにより、様々な時刻にて、それは、セル１のＮＢ１０４、セル２のＮＢ１０８、セル３のｅＮＢ１１２、及びセル４のｅＮＢ１１６からの信号受信のために近接した範囲内にある。ＵＥ１２０はアイドルモードにあってよいが、これらの信号は、受信されて、後でより詳細に説明されるように処理されて、複数のＬＴＥカバレッジホールを検出してよい。
【０００８】
これは、説明目的のために簡略化された例であり、実施においては、任意の構成の複数のｅＮＢ、複数のＮＢ、複数のＵＥ及び様々な複数のタイプのセルカバレッジエリアが、配置されてもよく、かつ、任意の数のエリア、領域又はセクタに拡張するカバレッジを提供してもよいことが理解されよう。無線ネットワークは、その規格の現在、以前、及び将来のバージョンを含む第３世代パートナーシッププロジェクト（３ＧＰＰ）ロングタームエボリューション（ＬＴＥ）及び／又はＬＴＥアドバンスト（ＬＴＥ−Ａ）ベース無線ネットワーク規格に準拠する、そうでなければ互換性があってよい。これらの規格は、例えば、３ＧＰＰ  ＴＳ  ２５．３０４，Ｖ１０．５．０，「アイドルモードにおけるユーザ機器（ＵＥ）手順及び接続モードにおけるセルの再選択のための手順（リリース１０）」、３ＧＰＰ  ＴＳ  ３６．３００，ＶＩ  １．２．０，「発展型ユニバーサル地上無線アクセス（Ｅ−ＵＴＲＡ）及び発展型ユニバーサル地上無線アクセスネットワーク（Ｅ−ＵＴＲＡＮ）；全体説明；ステージ２（リリース１１）」、３ＧＰＰ  ＴＳ  ３６．３３１，ＶＩ  １．０．０，「発展型ユニバーサル地上無線アクセス（Ｅ−ＵＴＲＡ）；無線リソース制御（ＲＲＣ）；プロトコル仕様書（リリース１１）」を含んでよい。
【０００９】
図２は、本開示による例示的実施形態の複数の動作２００のフローチャートを示す。動作２１０にて、アイドルモードにあるＵＥの間欠受信（ＤＲＸ）サイクルが終了する。ＵＥは、次の追加的な複数の動作が実行されてよい時点にて、ＤＲＸサイクルの終了を合図するタイマを用いて構成されてよい。動作２２０にて、ＵＥのサービングセルの参照信号受信電力（ＲＳＲＰ）が測定される。動作２３０にて、ＲＳＲＰが閾値と比較される。閾値は、選択されて、サービングセルの信号強度がそれ以上で許容可能であるところの信号レベルを示してよく、セルの再選択が必要とされなくてよい。ＲＳＲＰが閾値を超える場合、動作２９５にて、ＵＥは次のＤＲＸサイクルの終了を待つ。
【００１０】
そうでなければ、動作２４０にて、複数の隣接ＬＴＥセルに対する検索が実行される。隣接ＬＴＥセルが見つかる場合、動作２５０にて、ＵＥはそのＬＴＥセルにキャンプする。そうでなければ、動作２６０にて、複数の隣接インターＲＡＴ（ＩＲＡＴ）セルに対する検索が実行される。隣接ＩＲＡＴセルが見つかる場合、動作２７０にて、ＵＥはそのＩＲＡＴセルにキャンプする。隣接ＬＴＥセルも隣接ＩＲＡＴセルも見つからない場合、動作２８０にて、ログが、ＲＳＲＰ、参照信号受信品質（ＲＳＲＱ）、及びサービングセルのセルＩＤから作られる。ＵＥの位置及びタイムスタンプが、また、記録される。隣接ＬＴＥセル又は隣接ＩＲＡＴセルが見つかる場合、動作２９０にて、ログが、ＲＳＲＰ、ＲＳＲＱ、及び隣接セルのセルＩＤから作られる。ＵＥの位置及びタイムスタンプが、また、記録される。そして、動作２９５にて、ＵＥは、次のＤＲＸサイクルの終了を待つ。
【００１１】
図３は、本開示による１つの例示的実施形態のブロックダイヤグラム３００を示す。ネットワークマネージャ（ＮＭ）３０２が、集中キャパシティ及びカバレッジ最適化（ＣＣＯ）モジュール３０４を含んで示される。その動作は、後でより詳細に説明される。幾つかの実施形態において、ＣＣＯ３０４は、エレメントマネージャ（ＥＭ）３０８内に存在してよい。ネットワークマネージャ３０２は、典型的に、複数のネットワークオペレータ又は複数のプロバイダに複数のネットワークサポート機能を提供し、容易にするよう構成されたコンピュータシステム及び／又はソフトウェアアプリケーションである。これらサポート機能は、構成管理、パフォーマンス監視、障害検出、及びＣＣＯ動作を含んでよい。キャパシティ及びカバレッジを判断することは、複数の基地局（例えば、３ＧＰＰ  ＬＴＥ  ｅＮＢ）の設計、計画、及びロールアウトを用いて複数のネットワークオペレータをアシストする。
【００１２】
ネットワークマネージャ３０２は、エレメントマネージャ（ＥＭ）３０８を含んでよいドメインマネージャ（ＤＭ）３０６を通じて、複数のｅＮＢ３１０（及び／又はＩＲＡＴ  ＮＢ３１２）と通信するよう構成されてよい。ドメインマネージャ３０６は、サブネットワークに対するエレメント及びドメイン管理機能の両方を提供するよう構成されてよく、そして、エレメントマネージャ３０８は、一連の関連タイプのネットワークエレメント、例えば３ＧＰＰのｅＮＢ３１０及び／又はＩＲＡＴのＮＢ３１２の管理に対して、一連のエンドユーザ機能を提供するよう構成されてよい。ネットワークマネージャ３０２は、ｅＮＢ又はＮＢにて、エレメントマネージャ３０８を通じて、複数のｅＮＢ３１０（及び／又は複数のＩＲＡＴのＮＢ３１２）と直接通信するよう構成されてもよい。ＣＣＯ３０４がＥＭ３０８内に存在する複数の実施形態において、ＣＣＯ３０４は、ＤＭ３０６のドメイン内にある複数のｅＮＢの中の複数のＬＴＥカバレッジホールを検出するよう構成されてよい。
【００１３】
ドメインマネージャ３０６は、標準化インタフェースであってよいタイプ２インタフェース３２０をネットワークマネージャ３０２に提供し、そして、専有インタフェースであってよいタイプ１インタフェース３２２を複数のｅＮＢ３１０（及び／又は複数のＩＲＡＴのＮＢ３１２）に提供するよう構成されてよい。ネットワークマネージャ３０２は、タイプ２インタフェース３２０を介して、複数のｅＮＢ３１０（及び／又は複数のＩＲＡＴのＮＢ３１２）の複数のエレメントマネージャ３０８と直接通信するよう構成されてよい。これらの２つのタイプのインタフェースの間で必要となるかもしれない任意のメッセージ変換が、ドメインマネージャ３０６及び／又は複数のエレメントマネージャ３０８によって実行されてよい。
【００１４】
図４は、本開示による別の例示的実施形態のブロックダイヤグラム４００を示す。ＵＥ１２０が、受信機４０４（及び関連するアンテナ４０２）、信号測定モジュール４０８、ＤＲＸタイマ４０６、セル探索及び選択モジュール４２２、記録モジュール４１４、ＵＥ位置決定モジュール４１０、時間モジュール４１２、レポートモジュール４１６、及び送信機４１８（及び関連するアンテナ４２０）を含んで示される。幾つか実施形態では、複数のアンテナ４０２及び４２０は、共通又は共有アンテナであってよい。
【００１５】
受信機４０４（及び関連するアンテナ４０２）は、ＵＥ又は隣接セルのサービングセルに関連付けられてよいｅＮＢ又はＮＢから複数の信号を受信するように構成されてよい。ＤＲＸタイマは、アイドルモードにあるＵＥに対してＤＲＸサイクル時間インターバルの終了を示し、モジュール４０８により信号測定をトリガするよう構成されてよい。信号測定モジュール４０８は、ＵＥのサービングセルのＲＳＲＰを測定し、ＲＳＲＰを閾値と比較するよう構成されてよい。閾値は、選択されて、サービングセルの信号強度が許容可能であること、及びセルの再選択が必要とされなくてよいことを示してよい。セル探索及び選択モジュール４２２は、ＲＳＲＰが閾値を下回るとの判断に応じて隣接セルを検索し、検索が成功する場合、ＵＥにその隣接セル上にキャンプさせるよう構成されてよい。セル探索及び選択モジュール４２２は、まず、ＬＴＥ隣接セルを検索するよう構成されてよい。ＬＴＥ隣接セルを見つけることができない場合、検索は、インターＲＡＴセル（例えば、ＵＭＴＳセル又はＧＳＭ（登録商標）セル）に対して継続してよい。
【００１６】
ロケーションモジュール４１０は、ＵＥの位置を生成又は推定するよう構成されてよい。時間モジュール４１２は、ＵＥによる複数の測定結果に関連付けられるタイムスタンプとして用いるために、時間、例えば時刻を決定するよう構成されてよい。
【００１７】
記録モジュール４１４は、（モジュール４２２により実行された）隣接セルの検索が成功した場合、隣接セルに関連付けられたログ情報を記録し、隣接セルの検索が失敗した場合、サービングセルに関連付けられたログ情報を記録するよう構成されてよい。記録された情報は、それぞれ検索の成功又は失敗に応じて、ＲＳＲＰ、ＲＳＲＱ、及び隣接又はサービングセルのセルＩＤを含んでよい。記録された情報は、さらに、ＵＥの位置及びタイムスタンプを含んでよい。
【００１８】
レポートモジュール４１６は、記録された情報を、ネットワークマネージャのキャパシティ及びカバレッジ最適化モジュールにレポートするよう構成されてよい。アイドルモードのＵＥが基地局（例えば、ｅＮＢ又はＮＢ）に再接続されると、ＵＥは、レポートを、送信機４１８（及び関連するアンテナ４２０）を通じて、ＮＭ又はＥＭにリレーするための基地局に送信してよい。
【００１９】
図５は、本開示による別の例示的実施形態のブロックダイヤグラム５００を示す。ネットワークマネージャ３０２の集中ＣＣＯ３０４は、ＵＥ測定結果受信モジュール５０２、ＵＥ測定結果解析モジュール５０６、及びカバレッジホール特定モジュール５０８を含んで示される。幾つか実施形態において、ＣＣＯ３０４は、ＵＥ測定結果データベース５０４を含んでもよい。ＵＥ測定結果受信モジュール５０２は、アイドルモード状態にある１又は複数のＵＥから複数の測定結果を受信するよう構成されてよい。複数の測定結果は、ＵＥから、ｅＮＢ又はＮＢを通じて送信されてよい。幾つかの実施形態では、複数の測定結果は、さらに、ドメインマネージャを通じて送信されてよい。複数の測定結果は、セルに関連付けられ、ＲＳＲＰ及びＲＳＲＱに加えてそのセルのＩＤを含んでよい。複数の測定結果は、ＵＥの位置及びタイムスタンプを含んでもよい。
【００２０】
ＵＥ測定結果解析モジュール５０６は、複数のＵＥの位置及び任意の他の適当な情報に基づいて受信されたＵＥ測定結果を相関付けるよう構成されてよい。カバレッジホール特定モジュール５０８は、解析及び複数の相関付けに基づいてＬＴＥ無線セルラーネットワークの空間的カバレッジにおける複数のホールを特定し、位置を突き止めるよう構成されてよい。幾つかの実施形態では、ＣＣＯ３０４は、さらに、ＵＥ測定結果の解析に関連付けられた時間インターバルにわたって、又は興味のある任意の適当な歴史的時代の間、複数の受信したＵＥ測定結果を格納するよう構成されたＵＥ測定結果データベース５０４を含んでよい。
【００２１】
図６は、本開示による例示的実施形態の動作６００のフローチャートを示す。動作６１０にて、ユーザ機器（ＵＥ）のサービングセルの参照信号受信電力（ＲＳＲＰ）の測定がトリガされる。ＵＥは、アイドルモードにあり、トリガは、間欠受信（ＤＲＸ）時間インターバルの終了に関連付けられる。動作６２０にて、ＵＥのサービングセルのＲＳＲＰが閾値を下回るかどうか判断される。動作６３０にて、ＲＳＲＰが閾値を下回るとの判断に応じて隣接セルに対する検索が実行される。動作６４０にて、隣接セルの検索が成功する場合、隣接セルに関連付けられた情報が記録される。動作６５０にて、隣接セルの検索が失敗する場合、サービングセルに関連付けられた情報が記録される。
【００２２】
本明細書に記載された複数の方法の複数の実施形態は、１又は複数の記憶媒体を含むシステムで実装されてもよく、これは、１又は複数のプロセッサによって実行された場合に複数の方法を実行する複数の命令を、個別にまたは組み合わせて格納する。ここで、プロセッサは、例えば、システムＣＰＵ（例えば、コアプロセッサ）及び／又はプログラマブル回路を含んでもよい。従って、本明細書に記載された複数の方法に係る複数の動作は、幾つかの異なる物理的位置にある複数の処理構造のような複数の物理的デバイスにわたって分散されてもよいことが意図される。さらに、当業者によれば理解されるであろうが、方法の複数の動作は、個別にまたはサブコンビネーションで実行されてもよいことが意図される。従って、当業者によれば理解されるであろうが、複数のフローチャートの各々の複数の動作の全てが実行される必要はなく、本開示は、このような複数の動作の全てのサブコンビネーションが実施可能であることを明確に意図する。
【００２３】
記憶媒体は、任意のタイプの有形のメディア、例えば、任意のタイプのディスクを含んでもよく、これらは、フロッピー（登録商標）ディスク、光ディスク、コンパクトディスクリードオンリメモリ（ＣＤ−ＲＯＭ）、コンパクトディスクリライタブル（ＣＤ−ＲＷ）、デジタル汎用ディスク（ＤＶＤ）及び磁気光ディスク、リードオンリメモリ（ＲＯＭ）のような半導体デバイス、ダイナミック及びスタティックＲＡＭのようなランダムアクセスメモリ（ＲＡＭ）、消去可能プログラマブルリードオンリメモリ（ＥＰＲＯＭ）、電気的消去可能プログラマブルリードオンリメモリ（ＥＥＰＲＯＭ）、フラッシュメモリ、磁気又は光カード、又は電子的な複数の命令の記録に適した任意のタイプのメディアを含む。
【００２４】
「回路」は、本明細書の任意の実施形態で用いられるように、例えば、単一で又は任意の組み合わせで、ハードワイヤード回路、プログラマブル回路、状態機械回路及び／又はプログラマブル回路によって実行される複数の命令を格納するファームウェアを備えてもよい。アプリケーションは、ホストプロセッサのようなプログラマブル回路又は他のプログラマブル回路上で実行されてよいコード又は複数の命令として具現されてよい。本明細書の任意の実施形態において用いられるモジュールは、回路として具現されてよい。回路は、集積回路チップのような集積回路として具現されてよい。
【００２５】
従って、本開示は、ユーザ機器（ＵＥ）アイドルモード測定結果及びレポートを通じた複数の無線セルラーネットワーク、例えば複数のＬＴＥネットワークの改良カバレッジ推定のための複数のデバイス、複数の方法、複数のシステム、及びコンピュータ可読記憶媒体を提供する。以下の複数の実施例は、複数のさらなる実施形態に関する。
【００２６】
ＵＥは、ＵＥのサービングセルの参照信号受信電力（ＲＳＲＰ）を測定し、ＵＥはアイドルモードにあり、ＲＳＲＰが閾値を下回るかどうかを判断する信号測定モジュールを含んでよい。この例のＵＥは、ＲＳＲＰが閾値を下回るとの判断に応じて隣接セルを検索し、検索が成功する場合、隣接セル上にキャンプするセル探索及び選択モジュールを含んでもよい。この例のＵＥは、さらに、隣接セルの検索が成功する場合、隣接セルに関連付けられたログ情報を記録し、隣接セルの検索が失敗する場合、サービングセルに関連付けられたログ情報を記録するデータ記録モジュールを含んでよい。
【００２７】
別の例示的ＵＥは、前述のコンポーネントを含み、さらに、信号測定モジュールをトリガして、ＲＳＲＰの測定、ＤＲＸ時間インターバルの終了でのトリガを実行する間欠受信（ＤＲＸ）タイマを含む。
【００２８】
別の例示的ＵＥは、前述のコンポーネントを含み、さらに、ログ情報に含まれるＵＥの位置を提供するロケーションモジュールと、ログ情報に含まれるタイムスタンプを提供する時間モジュールと、を含む。
【００２９】
別の例示的ＵＥは、前述のコンポーネントを含み、ログ情報は、ＲＳＲＰ、参照信号受信品質（ＲＳＲＱ）及びセル識別を含む。
【００３０】
別の例示的ＵＥは、前述のコンポーネントを含み、セル探索及び選択モジュールは、さらに、隣接ロングタームエボリューション（ＬＴＥ）セルを検索し、隣接ＬＴＥセルの検索が失敗する場合、隣接インター無線通信アクセス技術（ＩＲＡＴ）セルを検索するよう構成される。
【００３１】
別の例示的ＵＥは、前述のコンポーネントを含み、ＩＲＡＴセルは、万国移動通信システム（ＵＭＴＳ）セル又は汎ヨーロッパデジタル移動通信システム（ＧＳＭ（登録商標））セルを含む。
【００３２】
別の例示的ＵＥは、前述のコンポーネントを含み、さらに、ログ情報を、ネットワークマネージャ（ＮＭ）又はエレメントマネージャ（ＥＭ）のキャパシティ及びカバレッジ最適化（ＣＣＯ）モジュールにレポートするレポートモジュールを含み、レポートは、ＵＥがｅＮＢに再接続すること応じて進化型ノードＢ（ｅＮＢ）を通じてなされる。
【００３３】
別の態様によれば、方法が提供される。方法は、アイドルモードにあるユーザ機器（ＵＥ）のサービングセルの参照信号受信電力（ＲＳＲＰ）の測定を、間欠受信（ＤＲＸ）時間インターバルの終了にてトリガする段階を含んでよい。この例の方法は、ＵＥのサービングセルのＲＳＲＰが閾値を下回るかどうか判断する段階を含んでもよい。この例の方法は、さらに、ＲＳＲＰが閾値を下回るとの判断に応じて、隣接セルを検索する段階を含んでよい。この例の方法は、さらに、隣接セルの検索が成功する場合、隣接セルに関連付けられた情報を記録する段階を含んでよい。この例の方法は、さらに、隣接セルの検索が失敗する場合、サービングセルに関連付けられた情報を記録する段階を含んでよい。
【００３４】
別の例示的方法は、前述の処理を含み、ログ情報は、ＲＳＲＰ、参照信号受信品質（ＲＳＲＱ）、セル識別、ＵＥの位置、及びタイムスタンプを含む。
【００３５】
別の例示的方法は、前述の処理を含み、隣接セルの検索は、さらに、隣接ロングタームエボリューション（ＬＴＥ）セルを検索する段階と、隣接ＬＴＥセルの検索が失敗する場合、隣接インター無線通信アクセス技術（ＩＲＡＴ）セルを検索する段階と、を含む。
【００３６】
別の例示的方法は、前述の処理を含み、ＩＲＡＴセルは、万国移動通信システム（ＵＭＴＳ）セル又は汎ヨーロッパデジタル移動通信システム（ＧＳＭ（登録商標））セルを含む。
【００３７】
別の例示的方法は、前述の処理を含み、さらに、ログ情報を、ネットワークマネージャ（ＮＭ）又はエレメントマネージャ（ＥＭ）のキャパシティ及びカバレッジ最適化（ＣＣＯ）モジュールに、ＵＥがｅＮＢに再接続すること応じて進化型ノードＢ（ｅＮＢ）を通じてレポートする段階を含む。
【００３８】
別の例示的方法は、前述の処理を含み、さらに、記録する段階の後、アイドルモードにとどまる段階と、次のトリガを待つ段階と、を含む。
【００３９】
別の例示的方法は、前述の処理を含み、さらに、隣接セルの検索が成功する場合、隣接セル上にキャンプする段階を含む。
【００４０】
別の態様によれば、システムが提供される。システムは、アイドルモード状態にある複数のＵＥから複数の測定結果を受信するユーザ機器（ＵＥ）測定結果受信モジュールを含んでよい。複数の測定結果は、セルに関連付けられ、セルのＩＤ、参照信号受信電力（ＲＳＲＰ）、参照信号受信品質（ＲＳＲＱ）、ＵＥの位置、及びタイムスタンプを含む。この例のシステムは、複数のＵＥの位置に基づいて複数の受信したＵＥ測定結果を相関付けるＵＥ測定結果解析モジュールを含んでもよい。この例のシステムは、さらに、複数の相関付けに基づいて、ロングタームエボリューション（ＬＴＥ）無線セルラーネットワークの空間的カバレッジにおける複数のホールを特定し、位置を突き止めるカバレッジホール特定モジュールを含んでよい。
【００４１】
別の例示的システムは、前述のコンポーネントを含み、さらに、ＵＥ測定結果の解析に関連付けられた時間インターバルにわたる複数の受信したＵＥ測定結果を格納するＵＥ測定結果データベースを含んでよい。
【００４２】
別の例示的システムは、前述のコンポーネントを含み、受信した複数のＵＥ測定結果は、進化型ノードＢ（ｅＮＢ）を通じて提供される。
【００４３】
別の例示的システムは、前述のコンポーネントを含み、受信した複数のＵＥ測定結果は、ドメインマネージャを通じて提供される。
【００４４】
別の態様によれば、システムが提供される。システムは、アイドルモードにあるユーザ機器（ＵＥ）のサービングセルの参照信号受信電力（ＲＳＲＰ）の測定を、間欠受信（ＤＲＸ）時間インターバルの終了にてトリガするための手段を含んでよい。この例のシステムは、ＵＥのサービングセルのＲＳＲＰが閾値を下回るかどうか判断するための手段を含んでもよい。この例のシステムは、さらに、ＲＳＲＰが閾値を下回るとの判断に応じて、隣接セルを検索するための手段を含んでよい。この例のシステムは、さらに、隣接セルの検索が成功する場合、隣接セルに関連付けられた情報を記録するための手段を含んでよい。この例のシステムは、さらに、隣接セルの検索が失敗する場合、サービングセルに関連付けられた情報を記録するための手段を含んでよい。
【００４５】
別の例示的システムは、前述のコンポーネントを含み、ログ情報は、ＲＳＲＰ、参照信号受信品質（ＲＳＲＱ）、セル識別、ＵＥの位置、及びタイムスタンプを含む。
【００４６】
別の例示的システムは、前述のコンポーネントを含み、さらに、隣接ロングタームエボリューション（ＬＴＥ）セルを検索するための手段と、隣接ＬＴＥセルの検索が失敗する場合、隣接インター無線通信アクセス技術（ＩＲＡＴ）セルを検索するための手段と、含む。
【００４７】
別の例示的システムは、前述のコンポーネントを含み、ＩＲＡＴセルは、万国移動通信システム（ＵＭＴＳ）セル又は汎ヨーロッパデジタル移動通信システム（ＧＳＭ（登録商標））セルを含む。
【００４８】
別の例示的システムは、前述のコンポーネントを含み、さらに、ログ情報を、ネットワークマネージャ（ＮＭ）又はエレメントマネージャ（ＥＭ）のキャパシティ及びカバレッジ最適化（ＣＣＯ）モジュールにレポートするための手段を含み、レポートは、ＵＥがｅＮＢに再接続すること応じて進化型ノードＢ（ｅＮＢ）を通じてなされる。
【００４９】
別の例示的システムは、前述のコンポーネントを含み、さらに、記録の後、アイドルモードにとどまるため及び次のトリガを待つための手段を含む。
【００５０】
別の例示的システムは、前述のコンポーネントを含み、さらに、隣接セルの検索が成功する場合、隣接セル上にキャンプするための手段を含む。
【００５１】
別の態様によれば、少なくとも１つのコンピュータ可読記憶媒体が提供され、これは、格納された複数の命令を有し、これらは、上述された複数の例のいずれかに記載されたように、プロセッサによって実行された場合に、プロセッサに方法の複数の動作を実行させる。
【００５２】
別の態様によれば、上述された複数の例のいずれかに記載された方法を実行するための手段を含む装置が提供される。
【００５３】
本明細書で使用された複数の用語及び表現は、説明の複数の用語として用いられ、限定するものではなく、このような複数の用語及び表現の使用において、図示及び記載された複数の特徴（またはそれらの一部）のあらゆる均等物を排除することを意図するものではなく、特許請求の範囲内で様々な複数の変形が可能であることが理解される。従って、特許請求の範囲は、そのような全ての等価物をカバーすることを意図する。様々な複数の特徴、複数の態様及び複数の実施形態が、本明細書に記載されている。当業者によって理解されるように、複数の特徴、複数の態様及び複数の実施形態は、互いに組み合わせ可能であり、変更及び変形が可能である。本開示は従って、そのような複数の組み合わせ、複数の変更及び複数の変形を包含すると考慮されるべきである。
本実施形態の例を下記の各項目として示す。
［項目１］
ユーザ機器（ＵＥ）のサービングセルの参照信号受信電力（ＲＳＲＰ）を測定し、前記ＵＥはアイドルモードにあり、前記ＲＳＲＰが閾値を下回るかどうかを判断する信号測定モジュールと、
前記ＲＳＲＰが前記閾値を下回ることの判断に応じて隣接セルを検索し、前記検索が成功した場合、前記隣接セル上にキャンプするセル探索及び選択モジュールであり、前記検索は、隣接ロングタームエボリューションセル（ＬＴＥセル）に対する検索であり、隣接ＬＴＥセルに対する前記検索が失敗した場合、隣接インター無線通信アクセス技術セル（ＩＲＡＴセル）に対する検索である、前記セル探索及び選択モジュールと、
前記隣接セルの検索が成功した場合、前記隣接セルに関連付けられたログ情報を記録し、前記隣接セルの検索が失敗した場合、前記サービングセルに関連付けられたログ情報を記録するデータ記録モジュールと、
を備えるＵＥ。
［項目２］
前記信号測定モジュールをトリガして、前記ＲＳＲＰの測定、ＤＲＸ時間インターバルの終了での前記トリガを実行する間欠受信（ＤＲＸ）タイマをさらに備える、項目１に記載のＵＥ。
［項目３］
前記ＵＥの位置を提供するロケーションモジュールであり、前記位置は前記ログ情報に含まれる、前記ロケーションモジュールと、タイムスタンプを提供する時間モジュールであり、前記タイムスタンプは前記ログ情報に含まれる、前記時間モジュールと、をさらに備える、項目１又は２に記載のＵＥ。
［項目４］
前記ログ情報は、ＲＳＲＰ、参照信号受信品質（ＲＳＲＱ）及びセル識別を含む、項目１から３のいずれか一項に記載のＵＥ。
［項目５］
前記ＩＲＡＴセルは、万国移動通信システム（ＵＭＴＳ）セル又は汎ヨーロッパデジタル移動通信システム（ＧＳＭ（登録商標））セルを含む、項目１から４のいずれか一項に記載のＵＥ。
［項目６］
前記ログ情報を、ネットワークマネージャ（ＮＭ）又はエレメントマネージャ（ＥＭ）のキャパシティ及びカバレッジ最適化（ＣＣＯ）モジュールにレポートするレポートモジュールをさらに備え、前記レポートは、前記ＵＥが進化型ノードＢ（ｅＮＢ）に再接続することに応じて前記ｅＮＢを通じてなされる、項目１から５のいずれか一項に記載のＵＥ。
［項目７］
ユーザ機器（ＵＥ）のサービングセルの参照信号受信電力（ＲＳＲＰ）の測定をトリガする段階であり、前記ＵＥはアイドルモードにあり、前記トリガは間欠受信（ＤＲＸ）時間インターバルの終了にある、段階と、
前記ＵＥの前記サービングセルの前記ＲＳＲＰが閾値を下回るかどうかを判断する段階と、
前記ＲＳＲＰが前記閾値を下回ることの前記判断に応じて隣接セルを検索する段階と、
前記隣接セルの検索が成功した場合、前記隣接セルに関連付けられたログ情報を記録する段階と、
前記隣接セルの検索が失敗した場合、前記サービングセルに関連付けられたログ情報を記録する段階と、
を備える方法。
［項目８］
前記ログ情報は、ＲＳＲＰ、参照信号受信品質（ＲＳＲＱ）、セル識別、前記ＵＥの位置、及びタイムスタンプを含む、項目７に記載の方法。
［項目９］
前記隣接セルを検索する段階は、隣接ロングタームエボリューションセル（ＬＴＥセル）を検索する段階と、隣接ＬＴＥセルに対する前記検索が失敗した場合、隣接インター無線通信アクセス技術セル（ＩＲＡＴセル）を検索する段階と、をさらに含む、項目７又は８に記載の方法。
［項目１０］
前記ＩＲＡＴセルは、万国移動通信システム（ＵＭＴＳ）セル又は汎ヨーロッパデジタル移動通信システム（ＧＳＭ（登録商標））セルを含む、項目９に記載の方法。
［項目１１］
前記ログ情報を、ネットワークマネージャ（ＮＭ）又はエレメントマネージャ（ＥＭ）のキャパシティ及びカバレッジ最適化（ＣＣＯ）モジュールにレポートする段階をさらに備え、前記レポートする段階は、前記ＵＥが進化型ノードＢ（ｅＮＢ）に再接続すること応じて前記ｅＮＢを通じてなされる、項目７から１０のいずれか一項に記載の方法。
［項目１２］
前記記録する段階の後、アイドルモードにとどまる段階と、次のトリガを待つ段階と、をさらに備える、項目７から１１のいずれか一項に記載の方法。
［項目１３］
前記隣接セルの検索が成功した場合、前記隣接セル上にキャンプする段階をさらに備える、項目７から１２のいずれか一項に記載の方法。
［項目１４］
コンピュータに、
ＵＥのサービングセルの参照信号受信電力（ＲＳＲＰ）の測定をトリガする手順であり、前記ＵＥはアイドルモードにあり、前記トリガは間欠受信（ＤＲＸ）時間インターバルの終了にて発生する、手順と、
前記ＵＥの前記サービングセルの前記ＲＳＲＰが閾値を下回るかどうかを判断する手順と、
前記ＲＳＲＰが前記閾値を下回ることの前記判断に応じて隣接セルを検索する手順と、
前記隣接セルの検索が成功した場合、前記隣接セルに関連付けられたログ情報を記録する手順と、
前記隣接セルの検索が失敗した場合、前記サービングセルに関連付けられたログ情報を記録する手順と、
を実行させるプログラム。
［項目１５］
前記ログ情報は、ＲＳＲＰ、参照信号受信品質（ＲＳＲＱ）、セル識別、前記ＵＥの位置、及びタイムスタンプを含む、項目１４に記載のプログラム。
［項目１６］
前記隣接セルを検索する手順は、隣接ロングタームエボリューションセル（ＬＴＥセル）を検索する手順と、隣接ＬＴＥセルに対する前記検索が失敗した場合、隣接インター無線通信アクセス技術セル（ＩＲＡＴセル）を検索する手順の動作をさらに含む、項目１４又は１５に記載のプログラム。
［項目１７］
前記ＩＲＡＴセルは、万国移動通信システム（ＵＭＴＳ）セル又は汎ヨーロッパデジタル移動通信システム（ＧＳＭ（登録商標））セルを含む、項目１６に記載のプログラム。
［項目１８］
コンピュータに、
前記ログ情報を、ネットワークマネージャ（ＮＭ）又はエレメントマネージャ（ＥＭ）のキャパシティ及びカバレッジ最適化（ＣＣＯ）モジュールにレポートする手順をさらに実行させ、前記レポートする手順は、前記ＵＥが進化型ノードＢ（ｅＮＢ）に再接続することに応じて前記ｅＮＢを通じてなされる、項目１４から１７のいずれか一項に記載のプログラム。
［項目１９］
コンピュータに、
前記記録する手順の後、アイドルモードにとどまる手順と、次のトリガを待つ手順と、の動作をさらに実行させる、項目１４から１８のいずれか一項に記載のプログラム。
［項目２０］
コンピュータに、
前記隣接セルの検索が成功した場合、前記隣接セル上にキャンプする手順をさらに実行させる、項目１４から１９のいずれか一項に記載のプログラム。
［項目２１］
ネットワークマネージャのキャパシティ及びカバレッジ最適化システムであって、前記システムは、
アイドルモード状態にある複数のＵＥから複数の測定結果を受信するユーザ機器（ＵＥ）測定結果受信モジュールであり、前記複数の測定結果はセルに関連付けられて、前記セルのＩＤ、参照信号受信電力（ＲＳＲＰ）、参照信号受信品質（ＲＳＲＱ）、前記ＵＥの位置、及びタイムスタンプを含む、前記ユーザ機器（ＵＥ）測定結果受信モジュールと、
前記ＵＥの位置に基づいて受信した前記複数のＵＥの測定結果を相関付けるＵＥ測定結果解析モジュールと、
前記相関付けに基づいてロングタームエボリューション（ＬＴＥ）無線セルラーネットワークの空間的カバレッジにおける複数のホールを特定し、位置を突き止めるカバレッジホール特定モジュールと、
を備えるシステム。
［項目２２］
前記ＵＥ測定結果の解析に関連付けられた時間インターバルにわたって受信した前記複数のＵＥの測定結果を格納するＵＥ測定結果データベースをさらに備える、項目２１に記載のシステム。
［項目２３］
受信した前記複数のＵＥの測定結果は、進化型ノードＢ（ｅＮＢ）を通じて提供される、項目２１又は２２に記載のシステム。
［項目２４］
受信した前記複数のＵＥの測定結果は、ドメインマネージャを通じて提供される、項目２１から２３のいずれか一項に記載のシステム。
［項目２５］
項目１４から２０のいずれか一項に記載のプログラムを記録したコンピュータ可読記録媒体。
【図１】
2018085744.tif 000003
【図２】
2018085744.tif 000004
【図３】
2018085744.tif 000005
【図４】
2018085744.tif 000006
【図５】
2018085744.tif 000007
【図６】
2018085744.tif 000008
【手続補正書】
【提出日】平成30年1月30日(2018.1.30)
【手続補正１】
【補正対象書類名】特許請求の範囲
【補正対象項目名】全文
【補正方法】変更
【補正の内容】
【特許請求の範囲】
【請求項１】
無線ネットワーク上で通信するためのユーザ機器（ＵＥ）であって、
プロセッサおよびメモリであって、前記メモリは、前記プロセッサによって実行される場合、前記ＵＥに、間欠受信タイマに基づいて、アイドルモードのＵＥのサービングセルの参照信号受信電力（ＲＳＲＰ）および参照信号受信品質（ＲＳＲＱ）を記録させる、複数の命令を有する、前記プロセッサおよび前記メモリと、
前記ＲＳＲＰおよび前記ＲＳＲＱを、ネットワークマネージャまたはドメインマネージャにおけるカバレッジ及びキャパシティ最適化（ＣＣＯ）回路に、レポートするための送信機と、を備える
ＵＥ。
【請求項２】
前記送信機はさらに、タイムスタンプ、前記ＵＥの位置情報、および前記サービングセルのセルＩＤのうちの１または複数をレポートする
請求項１に記載のＵＥ。
【請求項３】
前記ＵＥはさらに、測定回路を備える
請求項１または２に記載のＵＥ。
【請求項４】
前記ＲＳＲＰおよび前記ＲＳＲＱを測定するための測定回路をさらに備え、
前記複数の命令は、実行される場合、前記ＵＥにさらに、前記ＲＳＲＰおよび前記ＲＳＲＱが閾値未満であるかを決定させる
請求項１または２に記載のＵＥ。
【請求項５】
前記複数の命令は、前記プロセッサによって実行される場合、前記ＵＥにさらに、
前記ＲＳＲＰおよび前記ＲＳＲＱが前記閾値未満である場合、隣接ロングタームエボリューションセル（隣接ＬＴＥセル）を検索させ、
前記隣接ＬＴＥセルの検索が成功した場合、前記隣接ＬＴＥセルにキャンプさせる
請求項４に記載のＵＥ。
【請求項６】
前記複数の命令は、前記プロセッサによって実行される場合、前記ＵＥにさらに、
前記隣接ＬＴＥセルの検索が失敗した場合、隣接インター無線通信アクセス技術セル（隣接ＩＲＡＴセル）を検索させる
請求項５に記載のＵＥ。
【請求項７】
前記ＵＥの前記サービングセルと関連付けられた進化型ノードＢ（ｅＮＢ）からの１または複数の信号を受信するための受信機をさらに備える
請求項１から６のいずれか一項に記載のＵＥ。
【請求項８】
無線ネットワークのカバレッジを推定するための方法であって、
間欠受信（ＤＲＸ）サイクルの終了において、アイドルモードのＵＥのサービングセルの参照信号受信電力（ＲＳＲＰ）および参照信号受信品質（ＲＳＲＱ）を記録する段階と、
前記ＲＳＲＰおよび前記ＲＳＲＱを、ネットワークマネージャまたはドメインマネージャにおけるカバレッジ及びキャパシティ最適化モジュール（ＣＣＯモジュール）に、レポートする段階と、を備える
方法。
【請求項９】
タイムスタンプ、前記ＵＥの位置情報、および前記サービングセルのセルＩＤのうちの少なくとも１つをレポートする段階をさらに備える
請求項８に記載の方法。
【請求項１０】
前記ＲＳＲＰおよび前記ＲＳＲＱを測定する段階と、
前記ＲＳＲＰおよび前記ＲＳＲＱが閾値未満であるか否かを決定する段階と、
前記ＲＳＲＰおよび前記ＲＳＲＱが閾値未満である場合、隣接ロングタームエボリューションセル（隣接ＬＴＥセル）を検索する段階と、
前記隣接ＬＴＥセルの検索が成功した場合、前記隣接ＬＴＥセルにキャンプする段階と、をさらに備える
請求項８または９に記載の方法。
【請求項１１】
前記隣接ＬＴＥセルの検索が失敗した場合、隣接インター無線通信アクセス技術セル（隣接ＩＲＡＴセル）を検索する段階をさらに備える
請求項１０に記載の方法。
【請求項１２】
前記隣接ＩＲＡＴセルは、万国移動通信システム（ＵＭＴＳ）セル又は汎ヨーロッパデジタル移動通信システム（ＧＳＭ（登録商標））セルを含む、
請求項１１に記載の方法。
【請求項１３】
前記レポートする段階は、前記ＲＳＲＰおよび前記ＲＳＲＱを、進化型ノードＢ（ｅＮＢ）により、前記ＣＣＯモジュールにレポートする段階を有する
請求項８から１２のいずれか一項に記載の方法。
【請求項１４】
コンピュータに、
間欠受信（ＤＲＸ）サイクルの終了において、アイドルモードのＵＥのサービングセルの参照信号受信電力（ＲＳＲＰ）および参照信号受信品質（ＲＳＲＱ）を記録する段階と、
前記ＲＳＲＰおよび前記ＲＳＲＱを、ネットワークマネージャまたはドメインマネージャにおけるカバレッジ及びキャパシティ最適化モジュール（ＣＣＯモジュール）に、レポートする段階と、を含む動作を実行させるための
プログラム。
【請求項１５】
コンピュータに、
タイムスタンプ、前記ＵＥの位置情報、および前記サービングセルのセルＩＤのうちの少なくとも１つをレポートする段階を含む動作をさらに実行させるための
請求項１４に記載のプログラム。
【請求項１６】
コンピュータに、
前記ＲＳＲＰおよび前記ＲＳＲＱを測定する段階と、
前記ＲＳＲＰおよび前記ＲＳＲＱが閾値未満であるか否かを決定する段階と、
前記ＲＳＲＰおよび前記ＲＳＲＱが閾値未満である場合、隣接ロングタームエボリューションセル（隣接ＬＴＥセル）を検索する段階と、
前記隣接ＬＴＥセルの検索が成功した場合、前記隣接ＬＴＥセルにキャンプする段階と、を含む動作をさらに実行させるための
請求項１４または１５に記載のプログラム。
【請求項１７】
コンピュータに、
前記隣接ＬＴＥセルの検索が失敗した場合、隣接インター無線通信アクセス技術セル（隣接ＩＲＡＴセル）を検索する段階を含む動作をさらに実行させるための
請求項１６に記載のプログラム。
【請求項１８】
前記隣接ＩＲＡＴセルは、万国移動通信システム（ＵＭＴＳ）セル又は汎ヨーロッパデジタル移動通信システム（ＧＳＭ（登録商標））セルを含む、
請求項１７に記載のプログラム。
【請求項１９】
前記レポートする段階は、前記ＲＳＲＰおよび前記ＲＳＲＱを、進化型ノードＢ（ｅＮＢ）により、前記ＣＣＯモジュールにレポートする段階を有する
請求項１４から１８のいずれか一項に記載のプログラム。
【請求項２０】
請求項１４から１９のいずれか一項に記載のプログラムを格納しているコンピュータ可読記憶媒体。
【請求項２１】
無線ネットワーク上で通信するためのユーザ機器（ＵＥ）であって、
アイドルモードのＵＥのサービングセルの参照信号受信電力（ＲＳＲＰ）および参照信号受信品質（ＲＳＲＱ）を記録するための記録モジュールと、
前記ＲＳＲＰおよび前記ＲＳＲＱを、ネットワークマネージャまたはドメインマネージャにおけるカバレッジ及びキャパシティ最適化（ＣＣＯ）モジュールに、レポートするための送信機と、
前記ＲＳＲＰおよび前記ＲＳＲＱが閾値未満であるかを決定するための測定モジュールと、
前記ＲＳＲＰおよび前記ＲＳＲＱが前記閾値未満である場合、隣接ロングタームエボリューションセル（隣接ＬＴＥセル）を検索し、前記隣接ＬＴＥセルの検索が成功した場合、前記隣接ＬＴＥセルにキャンプするためのセル探索及び選択モジュールと、を備える
ＵＥ。
【請求項２２】
前記ＲＳＲＰおよび前記ＲＳＲＱが前記閾値未満である場合、隣接ロングタームエボリューションセル（隣接ＬＴＥセル）を検索し、前記隣接ＬＴＥセルの検索が成功した場合、前記隣接ＬＴＥセルにキャンプするためのセル探索及び選択モジュールをさらに備える
請求項２１に記載のＵＥ。
【請求項２３】
前記セル探索及び選択モジュールはさらに、
前記隣接ＬＴＥセルの検索が失敗した場合、隣接インター無線通信アクセス技術セル（隣接ＩＲＡＴセル）を検索するためのものである
請求項２２に記載のＵＥ。